(57)【要約】      （修正有）【課題】防振機能を備え、無限遠から至近まで高い光学性能を有しながら、小型の光学系およびそれを有する撮像装置を提供する。【解決手段】物体側から像側へ順に、正の屈折力を有し、フォーカシングに際して不動の第１レンズ群Ｌ１、フォーカシングに際して光軸方向に移動する第２レンズ群Ｌ２、開口絞りＳＰ、フォーカシングに際して光軸方向に移動するレンズ群を有し、フォーカシングに際して隣り合うレンズ群の間隔が変化し、前記第１レンズ群Ｌ１は、正の屈折力を有する第１部分群Ｌ１１と、正の屈折力を有する第２部分群Ｌ１２を有し、像ぶれ補正に際して前記第２部分群Ｌ１２が光軸に対して垂直方向の成分を持つ方向に移動することを特徴とする光学系。【選択図】図１
2018205435.tif 000002
【特許請求の範囲】
【請求項１】
物体側から像側へ順に、正の屈折力を有し、フォーカシングに際して不動の第１レンズ群、フォーカシングに際して光軸方向に移動する第２レンズ群、開口絞り、フォーカシングに際して光軸方向に移動するレンズ群を有し、フォーカシングに際して隣り合うレンズ群の間隔が変化する光学系であって、
前記第１レンズ群は、正の屈折力を有する第１部分群と、正の屈折力を有する第２部分群を有し、像ぶれ補正に際して前記第２部分群が光軸に対して垂直方向の成分を持つ方向に移動することを特徴とする光学系。
【請求項２】
前記第２部分群は正レンズを含み、該正レンズの屈折率をＮｄＰとするとき、
１．５５＜ＮｄＰ＜１．８５
の条件式を満たすことを特徴とする請求項１に記載の光学系。
【請求項３】
前記第２部分群は正レンズを含み、該正レンズのアッベ数をνｄＰとするとき、
３５＜νｄＰ＜７５
の条件式を満たすことを特徴とする請求項１または２に記載の光学系。
【請求項４】
前記第２部分群は正レンズを含み、該正レンズの物体側と像側の各面の曲率半径をそれぞれＲ１、Ｒ２とするとき、
０．０＜（Ｒ２＋Ｒ１）／（Ｒ２−Ｒ１）＜１．０
を満たすことを特徴とする請求項１乃至３のいずれか１項に記載の光学系。
【請求項５】
前記光学系の焦点距離をｆ、前記第１レンズ群の焦点距離をｆ１とするとき、
０．１０＜ｆ１／ｆ＜０．９０
の条件式を満たすことを特徴とする請求項１乃至４のいずれか１項に記載の光学系。
【請求項６】
無限遠に合焦しているときの前記第２部分群の横倍率をβ１２、無限遠に合焦しているときの前記第２部分よりも像側に配置された光学系の横倍率をβ１２Ｒとするとき、
０．５０＜｜（１−β１２）×β１２Ｒ｜＜２．００
の条件式を満たすことを特徴とする請求項１乃至５のいずれか１項に記載の光学系。
【請求項７】
前記第１部分群の焦点距離をｆ１１、前記第２部分群の焦点距離をｆ１２とするとき、
０．４０＜ｆ１１／ｆ１２＜１．８０
の条件式を満たすことを特徴とする請求項１乃至６のいずれか１項に記載の光学系。
【請求項８】
前記光学系のレンズ全長をＤとするとき、
０．７＜Ｄ／ｆ＜１．８
を満たすことを特徴とする請求項１乃至７のいずれか１項に記載の光学系。
【請求項９】
前記光学系のバックフォーカスをＢＦとするとき、
０．０５＜ＢＦ／ｆ＜０．３８
を満たすことを特徴とする請求項１乃至８のいずれか１項に記載の光学系。
【請求項１０】
前記第２レンズ群は負の屈折力を有することを特徴とする請求項１乃至９のいずれか１項に記載の光学系。
【請求項１１】
物体側から像側へ順に配置された、正の屈折力の第１レンズ群、負の屈折力の第２レンズ群、開口絞り、正の屈折力の第３レンズ群、正の屈折力の第４レンズ群より構成され、フォーカシングに際して前記第２レンズ群と前記第３レンズ群が光軸方向に移動することを特徴とする請求項１乃至１０のいずれか１項に記載の光学系。
【請求項１２】
フォーカシングに際して前記第４レンズ群が光軸方向に移動することを特徴とする請求項１１に記載の光学系。
【請求項１３】
物体側から像側へ順に配置された、正の屈折力の第１レンズ群、負の屈折力の第２レンズ群、開口絞り、正の屈折力の第３レンズ群、負の屈折力の第４レンズ群、正の屈折力の第５レンズ群より構成され、フォーカシングに際して前記第２レンズ群と前記第４レンズ群が光軸方向に移動することを特徴とする請求項１乃至１０のいずれか１項に記載の光学系。
【請求項１４】
請求項１乃至１３のいずれか１項に記載の光学系と、前記光学系によって形成された像を受光する撮像素子を有することを特徴とする撮像装置。
【発明の詳細な説明】
【技術分野】
【０００１】
本発明は、デジタルカメラ、ビデオカメラ等に好適な光学系及びそれを有する撮像装置に関する。
【背景技術】
【０００２】
撮影倍率が等倍程度の近接撮影が可能な光学系としてマクロレンズがある。マクロレンズにおいては、遠距離物体から近距離物体まで高い光学性能が求められる。
【０００３】
そこで、フォーカシングに際して複数のレンズ群を移動させることにより、フォーカシングに伴う収差変動を低減した光学系が知られている。このようなフォーカシング方式は、フローティングと呼ばれる。
【０００４】
また、撮影倍率の絶対値が大きい近接撮影領域においては、被写界深度が浅くなるため、深度を確保するために開口絞りを絞り込んで撮影を行うことがある。そのため、マクロレンズでは、シャッター速度が遅くなり、像ぶれが生じやすい。
【０００５】
これらのマクロレンズの特徴を踏まえ、フォーカシングに際して複数のレンズ群が移動し、像ぶれ補正に際して光学系の一部を光軸に対して垂直方向に移動させる光学系が知られている（特許文献１、２）。
【先行技術文献】
【特許文献】
【０００６】
【特許文献１】特開２０１１−１３３５７号公報
【特許文献２】特開２０１４−１４２６０１号公報
【発明の概要】
【発明が解決しようとする課題】
【０００７】
特許文献１においては、正、負、正、負の４つのレンズ群からなり、フォーカシングに際して第２レンズ群および第３レンズ群が移動し、像ぶれ補正に際して第４レンズ群の一部の防振群が移動する光学系が開示されている。
【０００８】
この光学系では、防振群が像面の近くに配置されており、防振群における軸上光線高が低いため、防振敏感度が小さくなりやすい。なお、防振敏感度とは、光軸に対して垂直な方向における防振群の移動量Δ１と像面上の結像点の移動量Δ２の比（Δ２／Δ１）をいう。
【０００９】
この光学系について更なる小型化を試みると、防振群の軸上光線高が更に小さくなるため、防振敏感度が小さくなりすぎる。防振敏感度を高めるためには防振群のレンズ枚数を増やして屈折力を強くする必要があり、防振群が重くなることから、防振群を駆動するための駆動機構も大型化、重量化してしまい、光学系全体の小型化が困難になる。
【００１０】
特許文献２においては、正、負、正、正、負または正、負、正、負、正の５つのレンズ群からなり、フォーカシングに際して第２レンズ群および第４レンズ群が移動し、像ぶれ補正に際して第３レンズ群が移動する光学系が開示されている。
【００１１】
この光学系では、２つのフォーカス群の間に防振群が配置され、その近傍に開口絞りも配置されているため、駆動機構の配置が困難である。
【００１２】
本発明は、防振機能を備え、無限遠から至近まで高い光学性能を有し、小型の光学系およびそれを有する撮像装置を提供することを目的とする。
【課題を解決するための手段】
【００１３】
本発明の光学系は、物体側から像側へ順に、正の屈折力を有し、フォーカシングに際して不動の第１レンズ群、フォーカシングに際して光軸方向に移動する第２レンズ群、開口絞り、フォーカシングに際して光軸方向に移動するレンズ群を有し、フォーカシングに際して隣り合うレンズ群の間隔が変化する光学系であって、前記第１レンズ群は、正の屈折力を有する第１部分群と、正の屈折力を有する第２部分群を有し、像ぶれ補正に際して前記第２部分群が光軸に対して垂直方向の成分を持つ方向に移動することを特徴とする。
【発明の効果】
【００１４】
本発明によれば、防振機能を備え、無限遠から至近まで高い光学性能を有し、小型の光学系およびそれを有する撮像装置を実現することができる。
【図面の簡単な説明】
【００１５】
【図１】本発明の実施例１のレンズ断面図
【図２】本発明の実施例１の縦収差図
【図３】本発明の実施例１の防振時における横収差図
【図４】本発明の実施例２のレンズ断面図
【図５】本発明の実施例２の縦収差図
【図６】本発明の実施例２の防振時における横収差図
【図７】本発明の実施例３のレンズ断面図
【図８】本発明の実施例３の縦収差図
【図９】本発明の実施例３の防振時における横収差図
【図１０】本発明の撮像装置の要部概略図
【発明を実施するための形態】
【００１６】
以下に本発明の好ましい実施の形態を、添付の図面に基づいて詳細に説明する。
【００１７】
図１，４，７に示す各実施例のレンズ断面図において、左方が物体側（前方）で、右方が像側（後方）である。また、ｉを物体側からのレンズ群の順番とするとき、Ｌｉは第ｉレンズ群を示す。ＳＰは開口絞りである。ＩＰは像面である。像面ＩＰは、デジタルカメラやデジタルビデオカメラなどの撮像装置においては、ＣＣＤセンサやＣＭＯＳセンサなどの固体撮像素子の撮像面に相当し、銀塩フィルムカメラにおいては、フィルム面に相当する。プロジェクタにおいては液晶パネルなどの画像表示面に相当する。無限遠から至近へのフォーカシングに際して、矢印に示すように各レンズ群が移動する。
【００１８】
図２，５，８に示す各実施例の縦収差図について説明する。球面収差図において、ＦｎｏはＦナンバーである。実線はｄ線（波長５８７．６ｎｍ）、二点鎖線はｇ線（波長４３５．８ｎｍ）である。非点収差図においてΔＭはｄ線におけるメリディオナル像面、ΔＳはｄ線におけるサジタル像面である。歪曲収差図はｄ線について示している。倍率色収差図はｇ線について示している。ωは半画角（度）である。
【００１９】
図３，６，９に示す各実施例の横収差図において、ΔＭはｄ線におけるメリディオナル像面、ΔＳはｄ線におけるサジタル像面である。
【００２０】
本発明の光学系は、物体側より像側へ順に、正の屈折力を有し、フォーカシングに際して不動の第１レンズ群、フォーカシングに際して光軸方向に移動する第２レンズ群、開口絞り、フォーカシングに際して光軸方向に移動するレンズ群を有する。また、フォーカシングに際して隣り合うレンズ群の間隔が変化する。
【００２１】
第１レンズ群が正の屈折力を有することで、第２レンズ群に入射する光束径を小さくすることができるため、光学系の小型化が容易になる。また、一般的に、物体側に配置された第１レンズ群は有効径が大きく、重量が重くなりやすい。このような重いレンズ群をフォーカシングに際して移動させようとすると、レンズ群を保持するための保持機構やレンズ群を移動させるための駆動機構も大型化してしまう。そこで、本発明の各実施例の光学系では、フォーカシングに際して、第１レンズ群を不動とし、第２レンズ群を移動させることで、光学系の小型化を実現している。
【００２２】
さらに、フォーカシングに際して、開口絞りの像側に配置されたレンズ群の少なくとも１つを光軸方向に移動させることにより、無限遠から至近まで高い光学性能を維持することができる。
【００２３】
なお、開口絞りは開放Ｆナンバーの光束を決定する部材であり、機械的または電気的な方法によって開口径を変化させることで光学系を通過する光量を調整することができる。開口絞りをフォーカシングに際して光軸方向に移動する複数のレンズ群（フォーカス群）の間に配置することにより、開口絞りの開口径によらずに軸外光線が開口絞りの開口を通過しやすい光学系としている。
【００２４】
また、第１レンズ群は、物体側から像側へ順に、正の屈折力の第１部分群と、正の屈折力の第２部分群を有し、像ぶれ補正に際して、第２部分群が光軸に対して垂直方向の成分を持つ方向に移動する。
【００２５】
光学系の小型化を図ると、第１レンズ群の正の屈折力は強くなる。レンズ群全体が強い正の屈折力を有する場合、仮に第２部分群を負の屈折力にすると、第１部分群は非常に強い正の屈折力を有することになる。第１部分群は、光学系の最も物体側に配置されているため、軸上光線高が最も大きく、第１部分群の屈折力が強くなりすぎると、無限遠から至近までの全域において球面収差、コマ収差、色収差を良好に保つことが困難になる。第１部分群、第２部分群が共に正の屈折力を有していれば、第１レンズ群の正の屈折力が第１部分群と第２部分群に分担され、無限遠から至近までの全域で高い光学性能を実現することが容易になる。
【００２６】
さらに、最も物体側に配置された第１部分群は大きく重いため、第１部分群を防振群とすると、これを保持するための機構も大型化してしまい、光学系の小型化が困難になる。そこで、本発明の光学系では、像ぶれ補正に際して正の屈折力の第２部分群を光軸に対して垂直方向の成分を持つ方向に移動させることで、小型の光学系を実現している。
【００２７】
以上のように、本発明によれば、防振機能を備え、無限遠から至近まで高い光学性能を有し、小型の光学系を得ることができる。
【００２８】
更に好ましくは次の条件式を１つ以上満足するのがよい。
１．５５＜ＮｄＰ＜１．８５                            ・・・（１）
３５＜νｄＰ＜７５                                    ・・・（２）
０．０＜（Ｒ２＋Ｒ１）／（Ｒ２−Ｒ１）＜１．０        ・・・（３）
０．１０＜ｆ１／ｆ＜０．９０                          ・・・（４）
０．５０＜｜（１−β１２）×β１２Ｒ｜＜２．００      ・・・（５）
０．４０＜ｆ１１／ｆ１２＜１．８０                    ・・・（６）
０．７＜Ｄ／ｆ＜１．８                                ・・・（７）
０．０５＜ＢＦ／ｆ＜０．３８                          ・・・（８）
【００２９】
ただし、ＮｄＰは第２部分群に含まれる正レンズＰのｄ線における屈折率、νｄＰは正レンズＰのアッベ数である。Ｒ１は正レンズＰの物体側の面の曲率半径、Ｒ２は正レンズＰの像側の面の曲率半径である。なお、正レンズＰの物体側と像側の面が非球面であるとき、Ｒ１、Ｒ２は各面の近軸曲率半径である。ｆは光学系の焦点距離、ｆ１は第１レンズ群の焦点距離である。
【００３０】
また、β１２は無限遠合焦時の第２部分群の横倍率、β１２Ｒは無限遠合焦時の第２部分群の像側に配置された光学系の横倍率である。ｆ１１は第１部分群の焦点距離、ｆ１２は第２部分群の焦点距離である。Ｄは光学系のレンズ全長、ＢＦは無限遠合焦時の光学系のバックフォーカスである。
【００３１】
なお、フラウンホーファー線のＦ線（４８６．１ｎｍ），ｄ線（５８７．６ｎｍ），Ｃ線（６５６．３ｎｍ）に対する材料の屈折率をそれぞれＮｇ，ＮＦ，Ｎｄ，ＮＣとしたとき、アッベ数νｄは、νｄ＝（Ｎｄ−１）／（ＮＦ−ＮＣ）で定義される。
【００３２】
次に前述の各条件式の技術的意味について説明する。条件式（１）は、第２部分群に含まれる正レンズＰの屈折率に関する。条件式（１）の下限を超えて屈折率が小さくなると、防振時の像面湾曲の変化が大きくなってしまい、好ましくない。条件式（１）の上限を超えて屈折率が大きくなると、低分散のガラス材料を得ることが困難になることから、防振時の倍率色収差の変化が大きくなってしまい、光学性能を良好に保つことが困難になる。
【００３３】
条件式（２）は、第２部分群に含まれる正レンズＰのアッベ数に関する。条件式（２）の下限を超えてアッベ数が小さくなると、防振時の倍率色収差の変化が大きくなってしまい、光学性能を良好に保つことが困難になる。また、上限を超えるほどアッベ数が大きい材料は屈折率が低くなりすぎるため、防振時の光学性能を良好に保つことが困難になる。
【００３４】
条件式（３）は、第２部分群に含まれる正レンズＰの形状に関する。条件式（３）の上限を超えると、正レンズＰは物体側に凸面を向けたメニスカス形状になる。また、下限を超えると、正レンズＰは像側面の曲率半径のほうが小さい両凸形状になる。正レンズＰがこれらの形状の場合、防振時にコマ収差の変化が大きくなり、光学性能を良好に保つことが困難になる。
【００３５】
条件式（４）は、第１レンズ群の焦点距離と全系の焦点距離の比に関する。条件式（４）の上限を超えて第１レンズ群の焦点距離が大きくなると、光学系の小型化が困難になる。また、条件式（４）の下限を超えて第１レンズ群の焦点距離が短くなると、フォーカシングに伴う球面収差、コマ収差、色収差の変化が大きくなり、無限遠から至近まで高い光学性能を維持すること困難になる。
【００３６】
条件式（５）は、第２部分群の防振敏感度に関する。防振敏感度とは、光軸に対して垂直な方向における第２部分群の移動量Δ１と像面上の結像点の移動量Δ２との比（Δ２／Δ１）をいう。条件式（５）の下限を超えて防振敏感度の絶対値が小さくなると、像ぶれ補正に必要な移動量が大きくなりすぎて、駆動機構が大型化してしまう。条件式（５）の上限を超えて防振敏感度の絶対値が大きくなると、第２部分群の移動量を適切に制御することが困難になる。
【００３７】
条件式（６）は、第１部分群と第２部分群の焦点距離の比に関する。条件式（６）の上限を超えて第１部分群の焦点距離が大きくなると、防振群である第２部分群の小型化が困難になり、防振群を駆動させるための駆動機構も大型化してしまい、光学系の小型化が困難になる。また、条件式（６）の下限を超えて第１部分群の焦点距離が短くなると、フォーカシングに伴う球面収差やコマ収差の変化が大きくなり、無限遠から至近までの全域において高い光学性能を維持すること困難になる。
【００３８】
条件式（７）は、光学系の焦点距離とレンズ全長との比に関する。条件式（７）の上限を超えると、光学系の小型化が困難になり、好ましくない。下限を超えると、各レンズ群の焦点距離が短くなりすぎて、光学性能を良好に保つことが困難になる。なお、レンズ全長は、光学系の最も物体側の面から像面までの光軸上の距離を示す。
【００３９】
条件式（８）は、光学系のバックフォーカスと光学系の焦点距離との比に関する。条件式（８）の上限を超えると、バックフォーカスが長すぎて光学系の小型化が困難になる。下限を超えると像側に配置されたレンズの有効径が大きくなりすぎるため、光学系の小型化が困難になる。なお、バックフォーカスＢＦは、光学系の最も像側の面から、像面までの距離を示す。
【００４０】
また、第２レンズ群は負の屈折力を有することが好ましい。第２レンズ群が負の屈折力を有することで、正の屈折力の第１レンズ群で発生する球面収差や色収差を第２レンズ群で補正することが容易になる。また、第２レンズ群のフォーカス敏感度を大きくすることができ、フォーカシング時の移動量を小さくすることが容易になる。なお、フォーカス敏感度とは、光軸方向における第２レンズ群の移動量δ１と結像面の移動量δ２の比（δ２／δ１）である。したがって、第２レンズ群が負の屈折力を有することで、高い光学性能を得ることと光学系の小型化が容易になる。
【００４１】
更に好ましくは、条件式（１）から（８）の数値範囲を次の如く設定するのが良い。
１．５７＜ＮｄＰ＜１．８２                          ・・・（１Ａ）
４０＜νｄＰ＜７０                                  ・・・（２Ａ）
０．０５＜（Ｒ２＋Ｒ１）／（Ｒ２−Ｒ１）＜０．８    ・・・（３Ａ）
０．２０＜ｆ１／ｆ＜０．７５                        ・・・（４Ａ）
０．６０＜｜（１−β１２）×β１２Ｒ｜＜１．７０    ・・・（５Ａ）
０．６０＜ｆ１１／ｆ１２＜１．６０                  ・・・（６Ａ）
０．８＜Ｄ／ｆ＜１．６                              ・・・（７Ａ）
０．０７＜ＢＦ／ｆ＜０．３４                        ・・・（８Ａ）
【００４２】
更に好ましくは、条件式（１Ａ）から（８Ａ）の数値範囲を次の如く設定するのが良い。
１．５８＜ＮｄＰ＜１．８０                          ・・・（１Ｂ）
４５＜νｄＰ＜６５                                  ・・・（２Ｂ）
０．１＜（Ｒ２＋Ｒ１）／（Ｒ２−Ｒ１）＜０．６      ・・・（３Ｂ）
０．３０＜ｆ１／ｆ＜０．６５                        ・・・（４Ｂ）
０．７０＜｜（１−β１２）×β１２Ｒ｜＜１．４０    ・・・（５Ｂ）
０．８０＜ｆ１１／ｆ１２＜１．４０                  ・・・（６Ｂ）
０．９＜Ｄ／ｆ＜１．４                              ・・・（７Ｂ）
０．０９＜ＢＦ／ｆ＜０．３０                        ・・・（８Ｂ）
【００４３】
［実施例１］
図１は、本発明の実施例１の光学系に関して、それぞれ無限遠および至近（等倍）に合焦しているときのレンズ断面図である。図２（Ａ）、（Ｂ）は、実施例１の光学系に関して、それぞれ無限遠および至近（等倍時）に合焦しているときの縦収差図である。図３（Ａ）、（Ｂ）は、実施例１の光学系に関して、それぞれ無限遠および至近（等倍）に合焦しているときに光軸が０．３度傾いた状態で像ぶれを補正したときの横収差図である。
【００４４】
レンズ断面図において、ＳＰは開放Ｆナンバー（Ｆｎｏ）の光束を決定する開口絞りである。ＩＰは像面であり、デジタルスチルカメラやデジタルビデオカメラの撮影光学系として使用する際にはＣＣＤセンサやＣＭＯＳセンサ等の固体撮像素子（光電変換素子）の撮像面が置かれる。また、銀塩フィルム用カメラの撮影光学系として使用する際にはフィルム面に相当する感光面が置かれている。フォーカスに関する矢印は無限遠から至近へのフォーカシングにおけるレンズ群の移動方向を示している。
【００４５】
また、縦収差図においてＦｎｏはＦナンバー、ωは半画角（度）である。球面収差図において、ｄはｄ線（波長５８７．６ｎｍ）、ｇはｇ線（波長４３５．８ｎｍ）である。非点収差図においてＳはｄ線におけるサジタル像面、Ｍはｄ線におけるメリディオナル像面である。歪曲収差はｄ線について示している。倍率色収差図においてｇはｇ線である。これらは実施例２，３についても同様である。
【００４６】
実施例１の光学系は、物体側から像側へ順に、正の屈折力を有する第１レンズ群Ｂ１、負の屈折力を有する第２レンズ群Ｂ２、開口絞りＳＰ、正の屈折力を有する第３レンズ群Ｂ３、負の屈折力を有する第４レンズ群Ｂ４より構成されている。無限遠から至近へのフォーカシングに際して、第２レンズ群Ｂ２は像側へ移動し、第３レンズ群Ｂ３は物体側へ移動し、第４レンズ群Ｂ４は物体側に移動したのち像側へ移動する。なお、フォーカシングに際して、第１レンズ群Ｂ１は不動である。
【００４７】
第１レンズ群Ｂ１は、物体側から像側へ順に、正の屈折力を有する第１部分群Ｂ１１、正の屈折力を有する第２部分群Ｂ１２で構成され、第２部分群Ｂ１２は、像ぶれ補正に際して、光軸に対して垂直方向の成分を持つ方向に移動する。
【００４８】
［実施例２］
図４は、本発明の実施例２の光学系に関して、それぞれ無限遠および至近（等倍）に合焦しているときのレンズ断面図である。図５（Ａ）、（Ｂ）は、実施例２の光学系に関して、それぞれ無限遠および至近（等倍時）に合焦しているときの縦収差図である。図６（Ａ）、（Ｂ）は、実施例２の光学系に関して、それぞれ無限遠および至近（等倍）に合焦しているときに光軸が０．３度傾いた状態で像ぶれを補正したときの横収差図である。
【００４９】
実施例２の光学系は、物体側から像側へ順に、正の屈折力を有する第１レンズ群Ｂ１、負の屈折力を有する第２レンズ群Ｂ２、開口絞り、正の屈折力を有する第３レンズ群Ｂ３、負の屈折力を有する第４レンズ群Ｂ４より構成されている。無限遠から至近へのフォーカシングに際して、第２レンズ群Ｂ２は像側へ移動し、第３レンズ群Ｂ３は物体側へ移動する。なお、フォーカシングに際して、第１レンズ群Ｂ１および第４レンズ群Ｂ４は不動である。
【００５０】
第１レンズ群Ｂ１は、物体側から像側へ順に、正の屈折力を有する第１部分群Ｂ１１、正の屈折力を有する第２部分群Ｂ１２で構成され、第２部分群Ｂ１２は、像ぶれ補正に際して、光軸に対して垂直方向の成分を持つ方向に移動する。
【００５１】
［実施例３］
図７は、本発明の実施例３の光学系に関して、それぞれ無限遠および至近（等倍）に合焦しているときのレンズ断面図である。図８（Ａ）、（Ｂ）は、実施例３の光学系に関して、それぞれ無限遠および至近（等倍）に合焦しているときの縦収差図である。図９（Ａ）、（Ｂ）は、実施例３の光学系に関して、それぞれ無限遠および至近（等倍）に合焦しているときに光軸が０．３度傾いた状態で像ぶれを補正したときの横収差図である。
【００５２】
実施例３の光学系は、物体側から像側へ順に、正の屈折力の第１レンズ群Ｂ１、負の屈折力の第２レンズ群Ｂ２、開口絞り、正の屈折力の第３レンズ群Ｂ３、負の屈折力の第４レンズ群Ｂ４、正の屈折力の第５レンズ群Ｂ５より構成されている。無限遠から至近へのフォーカシングに際して、第２レンズ群Ｂ２と第４レンズ群Ｂ４は像側へ移動する。なお、フォーカシングに際して、第１レンズ群Ｂ１、第３レンズ群Ｂ３、第５レンズ群Ｂ５は不動である。
【００５３】
第１レンズ群Ｂ１は、物体側から像側へ順に、正の屈折力を有する第１部分群Ｂ１１、正の屈折力を有する第２部分群Ｂ１２で構成され、第２部分群Ｂ１２は、像ぶれ補正に際して、光軸に対して垂直方向の成分を持つ方向に移動する。
【００５４】
次に本発明の光学系を撮像光学系として用いたデジタルスチルカメラ（撮像装置）の実施例に関して図１０を用いて説明する。図１０において１０はカメラ本体、１１は本発明の光学系によって構成された撮像光学系である。１２はカメラ本体に内蔵され、撮像光学系１１によって形成された被写体像を受光するＣＣＤセンサやＣＭＯＳセンサ等の固体撮像素子である。
【００５５】
尚、本発明はクイックリターンミラーのないＳＬＲ（Ｓｉｎｇｌｅ  Ｌｅｎｓ  Ｒｅｆｌｅｘ）カメラにも同様に適用することができる。また本発明のズームレンズはビデオカメラにも同様に適用することができる。
【００５６】
以下、実施例１乃至３に対応する数値実施例１乃至３の具体的な数値データを示す。各数値実施例において、ｒは光学面の曲率半径、ｄは光学面の光軸上の間隔を示す。ｎｄ、νｄはそれぞれｄ線における光学部材の材料の屈折率、アッベ数である。
【００５７】
非球面形状は光軸方向にＸ軸、光軸と垂直方向にＨ軸、光の進行方向を正としＲを近軸曲率半径、Ｋを円錐定数、Ａ４、Ａ６、Ａ８、Ａ１０、Ａ１２を各々非球面係数としたとき、以下の式で表される。
【００５８】
【数１】
2018205435.tif 000003
【００５９】
＊は非球面を意味している。「ｅ−ｘ」は１０−ｘを意味している。ＢＦは空気換算のバックフォーカスである。レンズ全長は第１レンズ面から最終レンズ面までの距離にバックフォーカスＢＦの値を加えた値である。また、前述の各条件式と実施例との関係を表１に示す。
【００６０】
［数値実施例１］
単位 mm
面データ
面番号       r        d      nd         vd       有効径
1         98.017    5.29   1.76385    48.5       43.38
2       -161.661    0.15                         42.73
3         35.389    1.50   1.85478    24.8       35.37
4         27.091    5.99   1.59522    67.7       32.74
5        147.752    1.90                         31.28
6       -120.077    1.40   1.85478    24.8       31.17
7        145.521    1.50                         29.17
8*        58.708    4.01   1.58313    59.4       26.74
9        -80.694    1.20   1.85478    24.8       25.51
10       -114.296  (可変)                         24.66
11        104.186    1.30   1.91082    35.3       22.03
12         26.789    2.33                         20.61
13       -615.315    1.10   1.88300    40.8       20.56
14         22.213    3.07   1.95906    17.5       20.18
15         73.043  (可変)                         19.99
16(絞り)    ∞     (可変)                         19.81
17        198.488    3.64   1.49700    81.5       23.78
18        -43.379    0.15                         24.50
19         51.574    4.63   1.59522    67.7       25.99
20        -59.274    1.20   1.85478    24.8       26.07
21       -279.837    0.15                         26.33
22        138.966    2.92   1.72916    54.7       26.46
23       -111.874  (可変)                         26.45
24       -227.605    1.10   1.48749    70.2       26.18
25         34.170   14.60                         25.81
26        -34.761    1.30   1.58913    61.1       28.26
27        180.318    0.15                         30.70
28         38.421    4.31   1.51633    64.1       34.05
29         92.141  (可変)                         34.40
像面        ∞
非球面データ
第8面
K = 0.00000e+000  A 4=-1.54679e-006  A 6= 8.20905e-010  A 8=-1.18485e-011  A10= 3.48272e-014
各種データ
焦点距離      97.00
Fナンバー      2.92
半画角        12.57
像高          21.64
レンズ全長   115.12
BF            20.01
撮影倍率      -0.00    -0.50    -1.00
d10            2.00     7.51    13.71
d15           13.89     8.38     2.19
d16           13.33     6.39     2.01
d23            1.00     6.04    10.72
d29           20.01    21.91    21.61
レンズ群データ
群  始面    焦点距離
1    1      42.29
11    1      75.91
12    8      71.89
2   11     -26.74
3   17      29.10
4   24     -31.25
単レンズデータ
レンズ  始面  焦点距離
1       1     80.60
2       3   -147.46
3       4     54.72
4       6    -76.78
5       8     58.90
6       9   -326.49
7      11    -39.91
8      13    -24.26
9      14     32.33
10      17     71.99
11      19     47.07
12      20    -88.20
13      22     85.42
14      24    -60.86
15      26    -49.36
16      28    124.24
【００６１】
［数値実施例２］
単位 mm
面データ
面番号       r        d      nd         vd       有効径
1         99.763    4.28   1.76385    48.5       38.21
2       -177.014    0.15                         37.60
3         34.589    1.50   1.85478    24.8       32.31
4         23.347    5.26   1.72916    54.7       29.47
5         80.048    1.94                         28.19
6       -153.208    1.40   1.90366    31.3       28.15
7         96.682    1.50                         27.23
8*        95.161    3.05   1.76450    49.1       26.73
9*      -137.386  (可変)                         26.23
10         95.129    1.30   1.91082    35.3       24.19
11         29.151    2.26                         22.79
12        249.057    1.10   1.85025    30.1       22.75
13         20.639    3.63   1.95906    17.5       22.18
14         62.139  (可変)                         21.90
15(絞り)    ∞     (可変)                         21.10
16         61.520    4.08   1.48749    70.2       23.17
17        -46.162    0.15                         23.63
18         51.884    6.83   1.48749    70.2       24.33
19        -32.303    1.30   1.84666    23.8       24.30
20       -139.796    0.55                         24.76
21        122.643    2.81   1.72916    54.7       24.97
22       -101.527  (可変)                         24.94
23        651.327    1.10   1.51633    64.1       24.54
24         21.092    6.45                         23.83
25        -29.048    3.19   1.85478    24.8       23.93
26        -19.439    0.49                         24.83
27        -18.662    1.30   1.62299    58.2       24.83
28        153.894    0.15                         28.99
29         42.673    4.90   1.67790    55.3       32.51
30       -664.539   26.82                         32.87
像面        ∞
非球面データ
第8面
K = 0.00000e+000  A 4=-1.00633e-006  A 6= 2.23600e-008  A 8=-1.29968e-010  A10= 4.02810e-013
第9面
K = 0.00000e+000  A 4= 2.68685e-007  A 6= 2.31791e-008  A 8=-1.39983e-010  A10= 4.28402e-013
各種データ
焦点距離      97.00
Fナンバー      2.92
半画角        12.57
像高          21.64
レンズ全長   118.00
BF            26.82
撮影倍率      -0.00    -0.50    -1.00
d 9            1.50     7.88    15.54
d14           16.41    10.03     2.37
d15           11.59     5.86     1.00
d22            1.00     6.73    11.60
レンズ群データ
群  始面    焦点距離
1    1      46.75
11    1      91.32
12    8      73.96
2   10     -34.53
3   16      29.82
4   23     -36.24
単レンズデータ
レンズ  始面  焦点距離
1       1     84.09
2       3    -89.54
3       4     43.50
4       6    -65.42
5       8     73.96
6      10    -46.58
7      12    -26.53
8      13     30.90
9      16     54.78
10      18     41.95
11      19    -49.90
12      21     76.58
13      23    -42.24
14      25     59.62
15      27    -26.64
16      29     59.32
【００６２】
［数値実施例３］
単位 mm
面データ
面番号       r        d      nd         vd       有効径
1        159.650    4.95   1.76385    48.5       43.42
2       -116.208    0.15                         42.83
3         45.962    4.84   1.59522    67.7       35.98
4        731.284    1.48                         34.52
5       -121.604    1.50   1.85478    24.8       34.41
6        115.667    1.50                         31.93
7*        77.303    3.26   1.67790    54.9       30.98
8       -181.214  (可変)                         30.17
9       -173.054    1.10   1.88300    40.8       26.38
10         24.124    2.54   1.95906    17.5       23.42
11         37.244  (可変)                         22.59
12(絞り)    ∞       1.00                         22.99
13         39.048    3.87   1.76385    48.5       23.10
14        -92.793    0.15                         22.76
15*        23.185    3.00   1.77250    49.5       20.59
16         60.102    1.10   1.95906    17.5       19.50
17         16.261    1.37                         17.35
18         31.182    1.10   1.69680    55.5       17.32
19         21.525    1.66                         16.65
20         21.576    2.84   1.85478    24.8       16.38
21        133.907  (可変)                         16.23
22      -1434.467    1.00   1.90366    31.3       16.49
23         14.696    3.20   1.95906    17.5       16.93
24         36.244    6.90                         17.04
25        -18.181    1.00   1.49700    81.5       19.67
26        -79.984  (可変)                         22.84
27         47.588    1.50   1.92286    18.9       37.97
28         28.570   11.00   1.69680    55.5       38.21
29        -93.128   15.93                         38.74
像面        ∞
非球面データ
第7面
K = 0.00000e+000  A 4=-5.68680e-007  A 6=-5.71865e-010  A 8= 3.65645e-012  A10=-4.71529e-015
第15面
K = 0.00000e+000  A 4= 3.60011e-006  A 6= 1.28200e-008  A 8=-9.58116e-011  A10= 2.92685e-013
各種データ
焦点距離      86.00
Fナンバー      2.87
半画角        14.12
像高          21.64
レンズ全長   115.07
BF            15.93
撮影倍率      -0.00    -0.50    -1.00
d 8            1.50    11.60    23.30
d11           25.05    14.94     3.25
d21            1.50     5.28     9.58
d26            9.08     5.29     1.00
レンズ群データ
群  始面    焦点距離
1    1      47.13
11    1      93.19
12    7      80.34
2    9     -35.93
3   12      31.11
4   22     -21.11
5   27      54.33
単レンズデータ
レンズ  始面  焦点距離
1       1     88.74
2       3     82.18
3       5    -69.15
4       7     80.34
5       9    -23.92
6      10     65.22
7      13     36.44
8      15     47.19
9      16    -23.53
10      18   -104.63
11      20     29.74
12      22    -16.09
13      23     24.02
14      25    -47.60
15      27    -80.52
16      28     32.59
【００６３】
【表１】
2018205435.tif 000004
【００６４】
以上、本発明の好ましい実施形態について説明したが、本発明はこれらの実施形態に限定されず、その要旨の範囲内で種々の変形および変更が可能である。たとえば、本実施例は防振群を有していないが、例えば開口絞りの像側の光学系の一部を防振群としても良い。また、屈折光学素子（レンズ）だけでなく、回折光学素子を有した光学系であっても良い。
【符号の説明】
【００６５】
Ｌ１  第１レンズ群
Ｌ２  第２レンズ群
Ｌ３  第３レンズ群
Ｌ４  第４レンズ群
Ｌ５  第５レンズ群
ＳＰ  開口絞り
ＩＰ  像面
【図１】
2018205435.tif 000005
【図２】
2018205435.tif 000006
【図３】
2018205435.tif 000007
【図４】
2018205435.tif 000008
【図５】
2018205435.tif 000009
【図６】
2018205435.tif 000010
【図７】
2018205435.tif 000011
【図８】
2018205435.tif 000012
【図９】
2018205435.tif 000013
【図１０】
2018205435.tif 000014